(57)【要約】【課題】組み付け作業を効率的に実行する。【解決手段】コネクタ３８２ｂを有する基板３８０が設けられる装飾部材３０２と、コネクタ２８６ｂを有する基板２８０と、一端がコネクタ３８２ｂに接続され、他端がコネクタ２８６ｂに接続されるケーブル本体に、ケーブル本体４００ａの一部が長手方向に折り返された折り返し部４００ｂが形成されるフラットケーブル４００と、装飾部材３０２に設けられ、折り返し部４００ｂを被覆するカバー部材３４０と、を備える。【選択図】図９
2020028378.tif 000002
【特許請求の範囲】
【請求項１】
第１コネクタを有する第１部材と、
第２コネクタを有する第２部材と、
一端が前記第１コネクタに接続され、他端が前記第２コネクタに接続されるケーブル本体に、前記ケーブル本体の一部が折り返された折り返し部が形成されるフラットケーブルと、
前記第１部材に着脱自在に設けられ、前記折り返し部を被覆するカバー部材と、
を備える遊技機。
【請求項２】
前記カバー部材と前記第１部材との間に収容空間が形成され、前記収容空間に前記折り返し部および前記第１コネクタが収容される請求項１に記載の遊技機。
【請求項３】
前記カバー部材は、
前記第１部材と離隔し、前記折り返し部と対向する対向面と、
前記折り返し部よりも前記第１コネクタから離隔した位置に設けられ、前記対向面よりも前記第１部材側に突出し、前記ケーブル本体と対向する突出部と、
を備える請求項１または２に記載の遊技機。
【発明の詳細な説明】
【技術分野】
【０００１】
本発明は、遊技機に関する。
【背景技術】
【０００２】
従来、始動口に遊技球が入球すると保留情報が記憶部に記憶されるとともに、始動条件の成立により、記憶部に記憶された保留情報が順次読み出されて大役抽選が行われ、この大役抽選により大当たりに当選すると、大入賞口が開放される大役遊技が実行可能となる遊技機が知られている。
【０００３】
こうした遊技機において、特許文献１では、基板同士を接続するためにフラットケーブを用いた遊技機が開示されている。
【先行技術文献】
【特許文献】
【０００４】
【特許文献１】特開２０１０−２２０８６５号公報
【発明の概要】
【発明が解決しようとする課題】
【０００５】
従来の遊技機において、フラットケーブルの一端と他端とをそれぞれコネクタに接続する場合に、フラットケーブルの長さを短くしようとすると、製造工程において、フラットケーブルの組み付けを行いにくくなり、製造効率が低下するという問題があった。
【０００６】
本発明は、組み付け作業を効率的に実行することができる遊技機の提供を目的とする。
【課題を解決するための手段】
【０００７】
上記課題を解決するために、本発明の遊技機は、第１コネクタを有する第１部材と、第２コネクタを有する第２部材と、一端が前記第１コネクタに接続され、他端が前記第２コネクタに接続されるケーブル本体に、前記ケーブル本体の一部が折り返された折り返し部が形成されるフラットケーブルと、前記第１部材に着脱自在に設けられ、前記折り返し部を被覆するカバー部材と、を備える。
【０００８】
また、前記カバー部材と前記第１部材との間に収容空間が形成され、前記収容空間に前記折り返し部および前記第１コネクタが収容されるとよい。
【０００９】
また、前記カバー部材は、前記第１部材と離隔し、前記折り返し部と対向する対向面と、前記折り返し部よりも前記第１コネクタから離隔した位置に設けられ、前記対向面よりも前記第１部材側に突出し、前記ケーブル本体と対向する突出部と、を備えるとよい。
【発明の効果】
【００１０】
本発明の遊技機によれば、組み付け作業を効率的に実行することができる。
【図面の簡単な説明】
【００１１】
【図１】扉が開放された状態を示す遊技機の斜視図である。
【図２】遊技機の正面図である。
【図３】可動役物装置の正面図である。
【図４】装飾部材を取り外した可動役物装置の正面図である。
【図５】ベース部材に備えられるカバー部材および基板を説明する斜視図である。
【図６】ベース部材に備えられるカバー部材の斜視図である。
【図７】可動部材に備えられるカバー部材および基板を説明する斜視図である。
【図８】可動部材に備えられるカバー部材の斜視図である。
【図９】装飾部材を取り外した可動役物装置の概略断面図である。
【図１０】装飾部材を取り外した可動役物装置の概略断面図である。
【図１１】図１０における可動部材に備えられるカバー部材近傍の概略図である。
【図１２】図１０におけるベース部材に備えられるカバー部材近傍の概略図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠３と、この中枠３と同様に、ヒンジ機構によって外枠２に開閉自在に取り付けられた前枠４と、を備えている。
【００１４】
中枠３は、外枠２と同様に、略矩形状に組まれた四辺によって囲繞空間が形成されており、この囲繞空間に遊技盤５が保持されている。また、前枠４には、ガラス製または樹脂製の透過板６が保持されている。そして、これら中枠３および前枠４を外枠２に対して閉じると、遊技盤５と透過板６とが所定の間隔を維持して略平行に対面するとともに、遊技機１の正面側から、透過板６を介して遊技盤５が視認可能となる。
【００１５】
図２は、遊技機１の正面図である。図１に示すように、前枠４の下部には、遊技機１の正面側に突出する操作ハンドル７が設けられており、この操作ハンドル７を遊技者が操作すると、当該操作ハンドル７の操作量に応じた強度で、不図示の発射装置によって遊技球が発射される。このようにして発射された遊技球は、遊技盤５に設けられたレール８ａ、８ｂ間を上昇して遊技領域９に導かれることとなる。
【００１６】
遊技領域９は、遊技盤５と透過板６との間隔に形成される空間であって、遊技球が流下または転動可能な領域である。遊技盤５には、多数の釘や風車が設けられており、遊技領域９に導かれた遊技球が釘や風車に衝突して、不規則な方向に流下、転動するようにしている。
【００１７】
遊技領域９には、遊技球が入賞可能な一般入賞口１０、第１始動口１１、第２始動口１２が設けられており、これら一般入賞口１０、第１始動口１１、第２始動口１２に遊技球が入賞すると、それぞれ所定の賞球が遊技者に払い出される。
【００１８】
なお、第１始動口１１または第２始動口１２に遊技球が入賞すると特別図柄の抽選が行われ、遊技者にとって有利な特別遊技の実行可否や、以後の遊技状態をどのような遊技状態にするかといった種々の遊技利益（状態）が決定される。したがって、遊技者は、第１始動口１１または第２始動口１２に遊技球が入賞すると、所定の賞球を獲得するのと同時に、種々の遊技利益を受ける権利獲得の機会を獲得することとなる。また、第２始動口１２は、可動片１２ｂを開閉可能に備えており、この可動片１２ｂの状態に応じて、第２始動口１２への遊技球の進入容易性が変化するようになっている。
【００１９】
さらに、遊技領域９にはアタッカー装置１３が設けられている。このアタッカー装置１３は、遊技球が入賞可能な大入賞口１４と、この大入賞口１４を開閉する開閉扉１４ｂと、を備えており、通常、開閉扉１４ｂが大入賞口１４を閉扉して、大入賞口１４への遊技球の入賞が不可能となっている。これに対して、所定条件が成立して特別遊技が実行されると、開閉扉１４ｂが開放されて、大入賞口１４への遊技球の入賞が可能となる。そして、大入賞口１４に遊技球が入賞すると、所定の賞球が遊技者に払い出される。
【００２０】
なお、遊技領域９の最下部には、一般入賞口１０、第１始動口１１、第２始動口１２、大入賞口１４のいずれにも入賞しなかった遊技球を、遊技領域９から遊技盤５の背面側に排出する排出口１５が設けられている。
【００２１】
そして、上記の遊技盤５の中央には、遊技機１の正面側から背面側に貫通する貫通孔５ａが形成されており、遊技盤５の背面に固定された液晶表示装置からなる演出表示部１６が、貫通孔５ａを介して遊技機１の正面側から視認可能に配置されている。この演出表示部１６には種々の画像が表示されるが、特に、上記の第１始動口１１または第２始動口１２に遊技球が入球した場合には、演出図柄が変動表示されて大当たりの抽選結果が遊技者に報知されることとなる。
【００２２】
また、遊技盤５には、貫通孔５ａの下方に装飾部材３０２を有する可動役物装置１００が設けられている。図２では、可動役物装置１００が非作動時の場合を示しており、装飾部材３０２が演出表示部１６の前面下方に位置する。一方、可動役物装置１００の作動時には、装飾部材３０２が上方に上昇して、演出表示部１６の中央前面に位置する。装飾部材３０２には、複数のランプが設けられており、ランプの発光態様を変化させることで、所望の演出を実行可能となっている。なお、可動役物装置１００が設けられる位置は、貫通孔５ａの下方に限られず、貫通孔５ａの上方であってもよいし、貫通孔５ａの左右方向に設けるものでもよく、特に限定されない。
【００２３】
図３は、可動役物装置１００の正面図である。なお、図３（ａ）は、可動役物装置１００の非作動時における正面図であり、図３（ｂ）は可動役物装置１００の作動時における正面図である。また、図４は、図３（ｂ）における装飾部材３０２が取り外された状態の可動役物装置１００の正面図である。
【００２４】
図３に示すように、可動役物装置１００は、ベース部材２００と可動部材３００とを備える。ベース部材２００は、遊技盤５の背面側に固定されて設けられる。また、可動部材３００は、装飾部材３０２（図３参照）と、装飾部材３０２に着脱自在に取り付けられるカバー部材３４０（図４参照）と、装飾部材３０２とカバー部材３４０との間に挟み込まれるようにして固定される基板３８０（図４参照）とを有する。可動部材３００は、ベース部材２００に対して相対的に移動可能である。
【００２５】
ベース部材２００は、ベース部材２００の長手方向の一端、すなわち、右端に配置されるアクチュエータ２０２ａと、ベース部材２００の長手方向の他端、すなわち、左端に配置されるアクチュエータ２０２ｂとを有する。
【００２６】
図４に示すように、アクチュエータ２０２ａ、２０２ｂは、それぞれ、不図示のギアと噛合して、点Ｐ１、Ｐ２を中心として旋回可能な旋回部材２０４ａ、２０４ｂを作動する。旋回部材２０４ａ、２０４ｂは、扇形状を有し、旋回部材２０４ａ、２０４ｂの旋回の中心、すなわち、扇の要部分が点Ｐ１、Ｐ２に位置している。そして、旋回部材２０４ａ、２０４ｂの旋回の中心から最も離れた位置、すなわち、扇の扇頂部分には、装飾部材３０２の背面に接続される一対の接続部２１０ａ、２１０ｂのうちの上側の一方が挿入されている。
【００２７】
接続部２１０ａ、２１０ｂは、それぞれ、ベース部材２００の上下方向に延在するように形成されたガイド２０６ａ、２０６ｂに挿入される。ガイド２０６ａ、２０６ｂは、ベース部材２００の前面および後面を貫通するように形成されている。ガイド２０６ａ、２０６ｂに挿入された接続部２１０ａ、２１０ｂは、ガイド２０６ａ、２０６ｂの形状に沿って、上下方向に移動可能となる。また、装飾部材３０２の後面には、レール部材２０８が取り付けられている。レール部材２０８は、装飾部材３０２を上下方向に移動可能とするように、ベース部材２００の上下方向に延在するように配置されている。そのため、アクチュエータ２０２ａ、２０２ｂが作動すると、可動部材３００は、レール部材２０８およびガイド２０６ａ、２０６ｂによって、左右方向の動きが制限されて、上下方向に移動可能となる。
【００２８】
また、ベース部材２００は、フラットケーブル４００、および、後述するフラットケーブル４０２（図５参照）が接続される基板２８０、および、基板２８０の前面側に設けられるカバー部材２４０（図５参照）を備える。フラットケーブル４００のケーブル本体４００ａ、および、フラットケーブル４０２のケーブル本体４０２ａは、柔軟性の高い樹脂により一体化されたものであり、幅が１３ｍｍ、厚さが０．１ｍｍに形成され、配線の途中で屈曲自在に配置することができるように形成されている。
【００２９】
図５は、ベース部材２００に備えられるカバー部材２４０および基板２８０を説明する斜視図である。また、図６は、ベース部材２００に備えられるカバー部材２４０の斜視図である。
【００３０】
図５に示すように、基板２８０の前面側には、フラットケーブル４０２が接続されるコネクタ２８６ａと、フラットケーブル４００が接続されるコネクタ２８６ｂとを備える。コネクタ２８６ａは、コネクタ２８６ｂよりも、上方に配置される。そして、カバー部材２４０は、フラットケーブル４０２が接続されたコネクタ２８６ａ、および、フラットケーブル４００が接続されたコネクタ２８６ｂの近傍を被覆する。カバー部材２４０は、ビス孔２４２ａ、２４２ｂに挿入されたビスＢＳによって、ベース部材２００に取り付けられる。そして、カバー部材２４０とベース部材２００との間に基板２８０が挟み込まれるようにして固定される。
【００３１】
また、図６（ａ）に示すように、カバー部材２４０は、カバー部材２４０の前面側の表面から突出するように設けられた突出面２５０、２５０ａとを有する。突出面２５０、２５０ａは、カバー部材２４０の前面側の表面における左右方向の略中央部に設けられ、カバー部材２４０の上下方向、すなわち、カバー部材２４０の長手方向に延在するように形成されている。また、突出面２５０は、カバー部材２４０の前面側の表面に対して傾斜しており、突出面２５０ａは、カバー部材２４０の前面に対して略平行に形成されている。
【００３２】
また、カバー部材２４０は、透光性を有する部材から形成されている。そして、カバー部材２４０は、図６（ｂ）に示すように、カバー部材２４０の後面側の表面から突出するように設けられた突出部２６０、２５６ａ、２５６ｂ、２５８を備える。
【００３３】
突出部２６０は、カバー部材２４０の後面側の表面から垂直に起立し、カバー部材２４０の後面の上端部付近において左右方向、すなわち、カバー部材２４０の短手方向に延在するように設けられる。また、突出部２６０の右端および左端は、下方向、すなわち、カバー部材２４０の長手方向に延在するように屈曲している。
【００３４】
突出部２５６ａは、突出部２６０の鉛直下方に設けられている。突出部２５６ａは、カバー部材２４０の後面側の表面から垂直に起立し、カバー部材２４０の後面において左右方向、すなわち、カバー部材２４０の短手方向に延在するように設けられる。突出部２５６ａの左右方向の長さは、突出部２６０の左右方向、すなわち、突出部２６０の長手方向の長さよりも短い。また、カバー部材２４０がベース部材２００に取り付けられた際には、突出部２５６ａがコネクタ２８６ａの前面に対向する位置に設けられている。すなわち、突出部２５６ａは、フラットケーブル４０２が接続されたコネクタ２８６ａの前面を押圧して、コネクタ２８６ａからフラットケーブル４０２が脱落することを抑制するための部材として機能する。
【００３５】
突出部２５６ｂは、突出部２５６ａの鉛直下方に設けられている。突出部２５６ｂは、カバー部材２４０の後面側の表面から垂直に起立し、カバー部材２４０の後面において左右方向、すなわち、カバー部材２４０の短手方向に延在するように設けられる。突出部２５６ｂの左右方向の長さは、突出部２５６ａの左右方向、すなわち、突出部２５６ａの長手方向の長さと略同一である。また、カバー部材２４０がベース部材２００に取り付けられた際には、突出部２５６ｂがコネクタ２８６ｂの前面に対向する位置に設けられている。すなわち、突出部２５６ｂは、フラットケーブル４００が接続されたコネクタ２８６ｂの前面を押圧して、コネクタ２８６ｂからフラットケーブル４００が脱落することを抑制するための部材として機能する。
【００３６】
また、突出部２５６ａ、２５６ｂにおいて、カバー部材２４０の後面側の表面から垂直に起立する高さは、それぞれ等しくなっている。
【００３７】
突出部２５８は、カバー部材２４０の後面側の表面から垂直に起立し、突出部２５６ｂの鉛直下方であって、カバー部材２４０の後面の下端部において左右方向、すなわち、カバー部材２４０の短手方向に延在するように設けられる。突出部２５８は、突出部２５８の左右方向、すなわち、突出部２５８の長手方向の長さが、突出部２５６ａ、２５６ｂの左右方向、すなわち、突出部２５６ａ、２５６ｂの長手方向の長さよりも長く、かつ、突出部２６０の左右方向、すなわち、突出部２６０の長手方向の長さよりも短い。また、突出部２５８においてカバー部材２４０の後面側の表面から垂直に起立する高さは、突出部２５６ａ、２５６ｂにおいてカバー部材２４０の後面側の表面から垂直に起立する高さよりも高くなるように形成されている。すなわち、突出部２５８は、フラットケーブル４００、４０２を押圧部４０６（図５参照）において、基板２８０の前面に押圧するための部材として機能する。
【００３８】
また、カバー部材２４０の後面側には、カバー部材２４０がベース部材２００に取り付けられた際に、コネクタ２８６ａ、２８６ｂ、および、フラットケーブル４００、４０２を収容する収容空間２５２ａ、２５２ｂが形成される。収容空間２５２ａは、突出部２５６ａ、２５６ｂ、および、対向面２５４ａによって囲繞された空間である。また、収容空間２５２ｂは、突出部２５６ｂ、２５８、および、対向面２５４ｂによって囲繞された空間である。なお、詳しくは後述するが、収容空間２５２ｂにおいて、フラットケーブル４００の前面にフラットケーブル４０２が重なった状態で収容される。また、カバー部材２４０の後面側における突出面２５０に対応する位置に対向面２５４ａが形成され、カバー部材２４０の後面側における突出面２５０ａに対応する位置に対向面２５４ｂが形成される。
【００３９】
対向面２５４ａ、２５４ｂは、カバー部材２４０の後面側の表面から凹んで形成されている。すなわち、対向面２５４ａ、２５４ｂは、カバー部材２４０の後面側の表面よりも、カバー部材２４０の前面方向に形成されている。また、対向面２５４ａは、カバー部材２４０の後面側の表面に対して傾斜しており、対向面２５４ｂは、カバー部材２４０の後面に対して略平行に形成されている。
【００４０】
図７は、可動部材３００に備えられるカバー部材３４０および基板３８０を説明する斜視図である。また、図８は、可動部材３００に備えられるカバー部材３４０の斜視図である。
【００４１】
図７に示すように、基板３８０の後面側には、フラットケーブル４０２が接続されるコネクタ３８２ａと、フラットケーブル４００が接続されるコネクタ３８２ｂとを備える。コネクタ３８２ａは、コネクタ３８２ｂよりも、上方に配置される。そして、カバー部材３４０は、フラットケーブル４０２が接続されたコネクタ３８２ａ、および、フラットケーブル４００が接続されたコネクタ３８２ｂの近傍を被覆する。カバー部材３４０は、ビス孔３４２ａ、３４２ｂ、３４２ｃ、３４２ｄに挿入されたビスＢＳによって、装飾部材３０２に取り付けられる。そして、カバー部材３４０と装飾部材３０２との間に基板３８０が挟み込まれるようにして、固定される。なお、基板３８０には、ビス孔３４２ｂ、３４２ｃに対応する位置に、基板３８０の前面と後面とを貫通する貫通孔３８４ｂ、３８４ｃが設けられている。すなわち、ビス孔３４２ｂ、３４２ｃに挿入されたビスＢＳは、貫通孔３８４ｂ、３８４ｃを介して装飾部材３０２に螺合される。
【００４２】
また、図８（ａ）に示すように、カバー部材３４０は、カバー部材３４０の後面側の表面から突出するように設けられた突出面３５０を有する。突出面３５０は、カバー部材３４０の後面側の表面の略全域に設けられ、カバー部材３４０の上下方向、すなわち、カバー部材３４０の長手方向に延在するように形成されている。また、突出面３５０は、カバー部材３４０の後面に対して略平行に形成されている。
【００４３】
また、図８（ｂ）に示すように、カバー部材３４０の前面側において突出面３５０に対応する位置に対向面３５４が形成される。対向面３５４は、カバー部材３４０の前面側の表面から凹んで形成されている。すなわち、対向面３５４は、カバー部材３４０の前面側の表面よりも、カバー部材３４０の後面方向に形成されている。また、カバー部材３４０の前面側には、対向面３５４の表面から垂直に起立し、カバー部材３４０の左右方向、すなわち、カバー部材３４０の短手方向に延在するように突出部３５６が形成されている。
【００４４】
突出部３５６が対向面３５４の表面から垂直に起立する高さは、対向面３５４がカバー部材３４０の前面側の表面から凹む高さよりも低い。つまり、突出部３５６は、カバー部材３４０の表面よりも後面側に設けられている。また、突出部３５６は、カバー部材３４０が装飾部材３０２に取り付けられた際に、コネクタ３８２ａに対向する位置に設けられている。すなわち、突出部３５６は、フラットケーブル４０２が接続されたコネクタ３８２ａの前面を押圧して、コネクタ３８２ａからフラットケーブル４０２が脱落することを抑制する。
【００４５】
また、カバー部材３４０の前面側には、突出部３５６の鉛直下方であって、カバー部材３４０の前面の下端部において左右方向、すなわち、カバー部材３４０の短手方向に延在するように、対向面３５４の表面から垂直に起立して形成される突出部３５８が備えられる。また、突出部３５８において対向面３５４の表面から垂直に起立する高さは、対向面３５４がカバー部材３４０の前面側の表面から凹む高さと等しい。すなわち、突出部３５８は、フラットケーブル４００、４０２を押圧部４０４（図７参照）において、基板３８０の前面に押圧するための部材として機能する。
【００４６】
また、カバー部材３４０の前面側には、カバー部材３４０が装飾部材３０２に取り付けられた際に、コネクタ３８２ａ、３８２ｂ、および、フラットケーブル４００、４０２を収容する収容空間３５２が形成される。収容空間３５２は、基板３８０が設けられる装飾部材３０２の後面、突出部３５８、および、対向面３５４によって囲繞される空間である。また、収容空間３５２内において、フラットケーブル４００のケーブル本体４００ａの一部が長手方向に折り返された、蛇腹状の折り返し部４００ｂ（図７参照）が形成される。なお、詳しくは後述するが、収容空間３５２において、フラットケーブル４００の折り返し部４００ｂの後面にフラットケーブル４０２が重なった状態で収容される。また、対向面３５４は、基板３８０が設けられる装飾部材３０２と離隔し、折り返し部４００ｂと対向している。また、突出部３５８は、折り返し部４００ｂよりもコネクタ３８２ｂから離隔した位置に設けられ、対向面３５４よりも基板３８０が設けられる装飾部材３０２側に突出し、ケーブル本体４００ａ、４０２ａと対向している。
【００４７】
図９、１０は、装飾部材３０２を取り外した可動役物装置１００の概略断面図である。なお、図９は可動役物装置１００の非作動時を示し、図１０は可動役物装置１００の作動時を示している。
【００４８】
図９に示すように、可動役物装置１００の非作動時において、フラットケーブル４００、４０２の上下方向における最下部は、基板２８０の上下方向における最下部よりも上方かつ、基板３８０の上下方向における最下部よりも下方に位置する。また、図１０に示すように、可動役物装置１００の作動時において、フラットケーブル４００、４０２の上下方向における最下部と、カバー部材２４０の上下方向における最下部とが十分に離間している。このように、フラットケーブル４００、４０２の全長が可動役物装置１００の作動時において、フラットケーブル４００、４０２の上下方向の最下部における長さが十分に確保される。これにより、可動役物装置１００が作動した際に、コネクタ２８６ａ、２８６ｂ、またはコネクタ３８２ａ、３８２ｂからフラットケーブル４００、４０２が脱落するおそれを低減することができる。なお、可動役物装置１００の作動時にフラットケーブル４００、４０２が可動役物装置１００の作動によって、断線等のおそれが生じることを抑制するために、フラットケーブル４００、４０２の全長は必要最低限の長さとなっている。例えば、遊技可能な状態においては可動役物装置１００の可動によってフラットケーブル４００、４０２の断線等が発生しないようにしつつ、メンテナンスや組み付け等における作業時に必要となるフラットケーブル４００、４０２および折り返し部４００ｂの長さも考慮した長さとなっている。
【００４９】
図１１は、図１０における可動部材３００に備えられるカバー部材３４０近傍の概略図である。図１１に示すように、フラットケーブル４００の一端はコネクタ３８２ｂに接続される。また、フラットケーブル４０２の一端はコネクタ３８２ａに接続される。一端がコネクタ３８２ｂに接続されるフラットケーブル４００には、フラットケーブル４００のケーブル本体４００ａの一部が長手方向に折り返された折り返し部４００ｂが形成される。具体的には、下方向に延伸するケーブル本体４００ａが、後面側、すなわち、カバー部材３４０側に折り返されて上方向に延伸した後、再度、後面側、すなわち、カバー部材３４０側に折り返されて、下方向に延伸して折り返し部４００ｂが形成されている。換言すると、折り返し部４００ｂでは、略逆Ｎ字状にケーブル本体４００ａが折り返されている。このように、折り返し部４００ｂにおいて、折り返される方向をカバー部材３４０側の方向とすることで、組み付けを効率的に実行することが可能となる。
【００５０】
コネクタ３８２ａに接続されたフラットケーブル４０２は、収容空間３５２内を下方に延伸し、コネクタ３８２ｂの後面において、コネクタ３８２ｂの後面と対向面３５４との間に挟み込まれる。フラットケーブル４０２は、さらに収容空間３５２内を下方に延伸する。また、コネクタ３８２ｂに接続されたフラットケーブル４００は、収容空間３５２内を下方に延伸し、押圧部４０４において、フラットケーブル４０２と共に、基板３８０の後面と突出部３５８との間に挟み込まれる。なお、コネクタ３８２ｂに接続されたフラットケーブル４００は、コネクタ３８２ｂよりも下方、かつ、突出部３５８よりも上方に、折り返し部４００ｂが形成される。そして、折り返し部４００ｂの後面にフラットケーブル４０２が重なっている。このようにフラットケーブル４０２を折り返し部４００ｂの外側から重ねることで、折り返し部４００ｂにおける折り返しによってフラットケーブル４００が膨れ上がることを抑え込むことができるようになる。
【００５１】
上記のように、カバー部材３４０と基板３８０が設けられる装飾部材３０２の後面との間に形成された収容空間３５２にフラットケーブル４００の折り返し部４００ｂ、フラットケーブル４０２、および、コネクタ３８２ａ、３８２ｂが収容される。このような折り返し部４００ｂを有することにより、製造工程において、フラットケーブル４００の組み付けを効率的に実行することが可能となる。すなわち、フラットケーブル４００をコネクタ３８２ｂに接続する際には、折り返し部４００ｂを伸ばした状態で組み付け作業を実行できる。そして、フラットケーブル４００をコネクタ３８２ｂに接続した後には、収容空間３５２に折り返し部４００ｂが収容されるので、収容空間３５２の外に位置するフラットケーブル４００の長さが必要以上に長くなってしまうことを抑制することができる。
【００５２】
また、上記したように、カバー部材３４０の前面側には、突出部３５８が備えられる。突出部３５８は、対向面３５４よりも基板３８０側に突出している。また、突出部３５８は、折り返し部４００ｂよりもコネクタ３８２ｂから離隔した位置に設けられている。これにより、折り返し部４００ｂが押圧部４０４よりも下方にはみ出すことを抑制することができる。
【００５３】
図１２は、図１０におけるベース部材２００に備えられるカバー部材２４０近傍の概略図である。図１２に示すように、フラットケーブル４００の他端はコネクタ２８６ｂに接続される。フラットケーブル４０２の他端はコネクタ２８６ａに接続される。
【００５４】
コネクタ２８６ａに接続されたフラットケーブル４０２は、収容空間２５２ａ内を下方に延伸し、コネクタ２８６ｂの前面において、コネクタ２８６ｂの前面と突出部２５６ｂとの間に挟み込まれる。フラットケーブル４０２は、さらに収容空間２５２ｂ内を下方に延伸する。また、コネクタ２８６ｂに接続されたフラットケーブル４００は、収容空間２５２ｂを下方に延伸し、押圧部４０６において、フラットケーブル４０２と共に、基板２８０の前面と突出部２５８との間に挟み込まれる。
【００５５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５６】
上記実施形態では、フラットケーブル４００において、折り返し部４００ｂがコネクタ３８２ｂの下部にのみ設けられる場合について示したが、本発明はこれに限定されない。すなわち、フラットケーブル４００において、折り返し部４００ｂがコネクタ２８６ｂの下部に設けられてもよい。あるいは、フラットケーブル４０２において、折り返し部４００ｂがコネクタ３８２ａまたはコネクタ２８６ａの下部に設けられてもよい。
【００５７】
また、上記実施形態では、対向面３５４のコネクタ３８２ｂと対向する箇所に突起部を設けない場合について示したが、対向面３５４のコネクタ３８２ｂと対向する箇所に突起部を設けてもよい。
【００５８】
また、上記実施形態では、ベース部材２００の基板２８０と可動部材３００の基板３８０とをフラットケーブル４００を用いて接続する場合について示したが、これに限定されるものではない。すなわち、相対的に可動しない基板同士をフラットケーブルで接続する場合についても、本発明を適応することができる。
【００５９】
また、上記実施形態では、長手方向に折り返しされる折り返し部４００ｂを示したが、折り返しされる方向は特に限定されない。また、上記実施形態では、フラットケーブル４００の一端側に折り返し部４００ｂが設けられることとしたがこれに限定されない。例えば、フラットケーブル４００、４０２において、組み付け作業の手順において、工程順序が後になる方のフラットケーブル４００またはフラットケーブル４０２の端部に折り返し部４００ｂを設けることが好ましい。または、フラットケーブル４００、４０２の両端のいずれか、あるいは全部に折り返し部を設けてもよい。また、上記実施形態では、カバー部材３４０の突出部３５８によって、フラットケーブル４００およびフラットケーブル４０２が押圧されることとしたが、フラットケーブルは１本あるいは３本以上としてもよい。
【００６０】
また、上記実施形態では、遊技機１の一例としてパチンコ機について説明したが、遊技機はパチンコ機に限らず、所謂スロットと呼ばれる回胴式遊技機でもよい。すなわち、賞球として払い出される遊技媒体は遊技球に限らず、メダルなどの他の遊技媒体であってもよい。
【００６１】
また、上記実施形態では、フラットケーブル４００およびフラットケーブル４０２が設けられる場合について説明したが、少なくともフラットケーブル４００が設けられればよい。あるいは、３以上のフラットケーブルが設けられてもよい。
【００６２】
なお、上記実施形態における、コネクタ３８２ｂが本発明の第１コネクタに相当する。
また、上記実施形態における、基板３８０が設けられる装飾部材３０２が本発明の第１部材に相当する。
また、上記実施形態における、コネクタ２８６ｂが本発明の第２コネクタに相当する。
また、上記実施形態における、基板２８０が本発明の第２部材に相当する。
また、上記実施形態における、フラットケーブル４００が本発明のフラットケーブルに相当する。
また、上記実施形態における、カバー部材３４０が本発明のカバー部材に相当する。
また、上記実施形態における、収容空間３５２が本発明の収容空間に相当する。
また、上記実施形態における、対向面３５４が本発明の対向面に相当する。
また、上記実施形態における、突出部３５８が本発明の突出部に相当する。
【符号の説明】
【００６３】
１  遊技機
２８０  基板
２８６ｂ、３８２ｂ  コネクタ
３０２  装飾部材
３４０  カバー部材
３５２  収容空間
３５４  対向面
３５８  突出部
３８０  基板
４００ａ  ケーブル本体
４００ｂ  折り返し部
４００  フラットケーブル
【図１】
2020028378.tif 000003
【図２】
2020028378.tif 000004
【図３】
2020028378.tif 000005
【図４】
2020028378.tif 000006
【図５】
2020028378.tif 000007
【図６】
2020028378.tif 000008
【図７】
2020028378.tif 000009
【図８】
2020028378.tif 000010
【図９】
2020028378.tif 000011
【図１０】
2020028378.tif 000012
【図１１】
2020028378.tif 000013
【図１２】
2020028378.tif 000014